(57)【要約】【課題】利便性と省エネルギー性を両立させることのできる画像処理システムを提供する。【解決手段】画像処理を行う第１の画像処理装置（プリンタ装置ＰＲ１）と、第１の画像処理装置と接続されて画像処理を行う第２の画像処理装置（スキャナ装置ＳＣ１）と、第１の画像処理装置または第２の画像処理装置から通信手段を介して、通信対象となる装置の電源遮断の可否を問い合わせる問合せ手段（問合せ部４００）と、問い合わせに対する応答を行う応答手段（応答部３０１）と、問合せ手段による問い合わせ結果が電源遮断可能である場合には、電源遮断命令（シャットダウンコマンドＳＤ）に基づいて電源遮断対象となる装置の電源を遮断するように制御する電源遮断制御手段（制御部２１２）とを少なくとも備える。【選択図】図２
2010213005.tif 000002
【特許請求の範囲】
【請求項１】
画像処理を行う第１の画像処理装置と、
通信手段を介して前記第１の画像処理装置と接続されて画像処理を行う第２の画像処理装置と、
前記第１の画像処理装置または前記第２の画像処理装置から前記通信手段を介して、通信対象となる装置の電源遮断の可否を問い合わせる問合せ手段と、
該問合せ手段による問い合わせに対する応答を前記通信手段を介して行う応答手段と、
前記問合せ手段による問い合わせ結果が電源遮断可能である場合には、電源遮断命令に基づいて電源遮断対象となる装置の電源を遮断するように制御する電源遮断制御手段と、
を少なくとも備えることを特徴とする画像処理システム。
【請求項２】
前記第１の画像処理装置および前記第２の画像処理装置は、それぞれ電源遮断スイッチを備え、
前記電源遮断制御手段は、前記電源遮断スイッチの操作と連動して、前記問合せ手段による問い合わせおよび電源遮断命令の送信を行うことを特徴とする請求項１に記載の画像処理システム。
【請求項３】
装置自身が前記通信手段あるいは他の接続手段を介して他の装置と接続されているか否かを判定する接続判定手段をさらに備え、
前記応答手段は、前記接続判定手段による判定結果を前記通信手段を介して前記第１の画像処理装置または前記第２の画像処理装置に送信し、
前記制御手段は、
前記判定結果に応じて前記電源遮断命令を実行するか否かを決定することを特徴とする請求項１または請求項２の何れかに記載の画像処理システム。
【請求項４】
装置自身が少なくとも一つの処理を実行しているか否かを判定する処理判定手段をさらに備え、
前記応答手段は、前記処理判定手段による判定結果を前記通信手段を介して前記第１の画像処理装置または前記第２の画像処理装置に送信し、
前記制御手段は、
前記判定結果に応じて前記電源遮断命令を実行するか否かを決定することを特徴とする請求項１または請求項２の何れかに記載の画像処理システム。
【請求項５】
装置自身の使用頻度を算出する頻度算出手段をさらに備え、
前記応答手段は、前記頻度算出手段による算出結果を前記通信手段を介して前記第１の画像処理装置または前記第２の画像処理装置に送信し、
前記制御手段は、
前記算出結果に応じて前記電源遮断命令を実行するか否かを決定することを特徴とする請求項１または請求項２の何れかに記載の画像処理システム。
【請求項６】
装置自身の使用実績を集計する使用実績集計手段をさらに備え、
前記応答手段は、前記使用実績集計手段による集計結果を前記通信手段を介して前記第１の画像処理装置または前記第２の画像処理装置に送信し、
前記制御手段は、
前記集計結果に応じて前記電源遮断命令を実行するか否かを決定することを特徴とする請求項１または請求項２の何れかに記載の画像処理システム。
【請求項７】
前記第１の画像処理装置はプリンタ装置で構成され、前記第２の画像処理装置はスキャナ装置で構成されることを特徴とする請求項１から請求項６の何れかに記載の画像処理システム。
【請求項８】
前記プリンタ装置は、印刷履歴の格納手段を備え、
前記頻度算出手段または前記使用実績集計手段は、前記印刷履歴に基づいて使用頻度または使用実績の集計結果を得ることを特徴とする請求項５または請求項６の何れかに記載の画像処理システム。
【請求項９】
前記スキャナ装置は、読取り履歴の格納手段を備え、
前記頻度算出手段または前記使用実績集計手段は、前記読取り履歴に基づいて使用頻度または使用実績の集計結果を得ることを特徴とする請求項５または請求項６の何れかに記載の画像処理システム。
【請求項１０】
通信手段を介して、他の画像処理装置に対して電源遮断の可否を問い合わせる問合せ手段と、
他の画像処理装置からの電源遮断の可否に関する問い合わせに対する応答を行う応答手段と、
前記問合せ手段による問い合わせ結果が電源遮断可能である場合には、電源遮断命令に基づいて自身の電源を遮断するように制御する電源遮断制御手段と、
を少なくとも備えることを特徴とする画像処理装置。
【請求項１１】
第１の画像処理装置または第２の画像処理装置から通信対象となる装置に対して電源遮断の可否を問い合わせる問合せ処理過程と、
該問合せ処理過程による問い合わせに対する応答を行う応答処理過程と、
前記問い合わせ結果が電源遮断可能である場合には、電源遮断命令に基づいて電源遮断対象となる装置の電源を遮断するように制御する電源遮断処理過程と、
を演算手段に実行させることを特徴とする電源制御プログラム。
【発明の詳細な説明】
【技術分野】
【０００１】
本発明は、画像処理システム、画像処理装置および電源制御プログラムに関するものである。
【背景技術】
【０００２】
最近、スキャナ装置にプリンタ装置を直接接続あるいはネットワーク接続し、スキャナ装置で読み取った画像をコピージョブとしてプリンタ装置に送信することで、パーソナルコンピュータを介さずにコピー機能など複合機と同様の機能を実現する画像処理システムが提案されている。
【０００３】
このようなシステムにおいては、スキャナ装置に接続されるプリンタ装置の機種は一定ではなく、その機能については種々のものが接続され得る。
【０００４】
上述のような画像処理技術に関する先行技術としては、特開２００２−１４２０４７号公報や特開２００２−３３８６５号公報などがある。
【０００５】
特開２００２−１４２０４７号公報には、それぞれ電源供給装置を有する２台の画像処理装置を接続した複合機器において、一方の画像処理装置は、他方の画像処理装置の電源スイッチの動作により電源供給装置のオンオフを制御するリレーを有し、前記他方の画像処理装置のスイッチのオンオフにより、リレーを介して前記一方の画像処理装置の電源供給装置のオンオフを制御する技術が開示されている。
【０００６】
また、特開２００２−３３８６５号公報には、スキャナ装置に、ネットワークに接続されたプリンタ装置の電源動作を制御する指示を入力する電源制御指示入力手段と、前記電源制御指示入力手段により入力された指示から電源制御コマンドを生成する電源制御コマンド生成手段と、前記電源制御コマンドを前記ネットワークへ送信する電源制御コマンド送信手段とを配設した技術が開示されている。
【特許文献１】特開２００２−１４２０４７号公報
【特許文献２】特開２００２−３３８６５号公報
【発明の開示】
【発明が解決しようとする課題】
【０００７】
本発明は、利便性と省エネルギー性を両立させることのできる画像処理システム、画像処理装置および電源制御プログラムを提供することを目的とする。
【課題を解決するための手段】
【０００８】
前記課題を解決するため、請求項１の発明に係る画像処理システムは、画像処理を行う第１の画像処理装置と、通信手段を介して前記第１の画像処理装置と接続されて画像処理を行う第２の画像処理装置と、前記第１の画像処理装置または前記第２の画像処理装置から前記通信手段を介して、通信対象となる装置の電源遮断の可否を問い合わせる問合せ手段と、該問合せ手段による問い合わせに対する応答を前記通信手段を介して行う応答手段と、前記問合せ手段による問い合わせ結果が電源遮断可能である場合には、電源遮断命令に基づいて電源遮断対象となる装置の電源を遮断するように制御する電源遮断制御手段とを少なくとも備えることを特徴とする。
【０００９】
請求項２の発明に係る画像処理システムは、請求項１に記載の発明について、前記第１の画像処理装置および前記第２の画像処理装置は、それぞれ電源遮断スイッチを備え、前記電源遮断制御手段は、前記電源遮断スイッチの操作と連動して、前記問合せ手段による問い合わせおよび電源遮断命令の送信を行うことを特徴とする。
【００１０】
請求項３の発明に係る画像処理システムは、請求項１または請求項２の何れかに記載の発明について、装置自身が前記通信手段あるいは他の接続手段を介して他の装置と接続されているか否かを判定する接続判定手段をさらに備え、前記応答手段は、前記接続判定手段による判定結果を前記通信手段を介して前記第１の画像処理装置または前記第２の画像処理装置に送信し、前記制御手段は、前記判定結果に応じて前記電源遮断命令を実行するか否かを決定することを特徴とする。
【００１１】
請求項４の発明に係る画像処理システムは、請求項１または請求項２の何れかに記載の発明について、装置自身が少なくとも一つの処理を実行しているか否かを判定する処理判定手段をさらに備え、前記応答手段は、前記処理判定手段による判定結果を前記通信手段を介して前記第１の画像処理装置または前記第２の画像処理装置に送信し、前記制御手段は、前記判定結果に応じて前記電源遮断命令を実行するか否かを決定することを特徴とする。
【００１２】
請求項５の発明に係る画像処理システムは、請求項１または請求項２の何れかに記載の発明について、装置自身の使用頻度を算出する頻度算出手段をさらに備え、前記応答手段は、前記頻度算出手段による算出結果を前記通信手段を介して前記第１の画像処理装置または前記第２の画像処理装置に送信し、前記制御手段は、前記算出結果に応じて前記電源遮断命令を実行するか否かを決定することを特徴とする。
【００１３】
請求項６の発明に係る画像処理システムは、請求項１または請求項２の何れかに記載の発明について、装置自身の使用実績を集計する使用実績集計手段をさらに備え、前記応答手段は、前記使用実績集計手段による集計結果を前記通信手段を介して前記第１の画像処理装置または前記第２の画像処理装置に送信し、前記制御手段は、前記集計結果に応じて前記電源遮断命令を実行するか否かを決定することを特徴とする。
【００１４】
請求項７の発明に係る画像処理システムは、請求項１から請求項６の何れかに記載の発明について、前記第１の画像処理装置はプリンタ装置で構成され、前記第２の画像処理装置はスキャナ装置で構成されることを特徴とする。
【００１５】
請求項８の発明に係る画像処理システムは、請求項５または請求項６の何れかに記載の発明について、前記プリンタ装置は、印刷履歴の格納手段を備え、前記頻度算出手段または前記使用実績集計手段は、前記印刷履歴に基づいて使用頻度または使用実績の集計結果を得ることを特徴とする。
【００１６】
請求項９の発明に係る画像処理システムは、請求項５または請求項６の何れかに記載の発明について、前記スキャナ装置は、読取り履歴の格納手段を備え、前記頻度算出手段または前記使用実績集計手段は、前記読取り履歴に基づいて使用頻度または使用実績の集計結果を得ることを特徴とする。
【００１７】
請求項１０の発明に係る画像処理装置は、通信手段を介して、他の画像処理装置に対して電源遮断の可否を問い合わせる問合せ手段と、他の画像処理装置からの電源遮断の可否に関する問い合わせに対する応答を行う応答手段と、前記問合せ手段による問い合わせ結果が電源遮断可能である場合には、電源遮断命令に基づいて自身の電源を遮断するように制御する電源遮断制御手段とを少なくとも備えることを特徴とする。
【００１８】
請求項１１の発明に係る電源制御プログラムは、第１の画像処理装置または第２の画像処理装置から通信対象となる装置に対して電源遮断の可否を問い合わせる問合せ処理過程と、該問合せ処理過程による問い合わせに対する応答を行う応答処理過程と、前記問い合わせ結果が電源遮断可能である場合には、電源遮断命令に基づいて電源遮断対象となる装置の電源を遮断するように制御するように制御する電源遮断処理過程とを演算手段に実行させることを特徴とする。
【発明の効果】
【００１９】
本発明によれば以下の効果を奏することができる。
【００２０】
すなわち、請求項１に記載の発明によれば、本構成を有していない場合に比較して、利便性と省エネルギー性を両立させることができるという効果がある。
【００２１】
請求項２に記載の発明によれば、本構成を有していない場合に比較して、利便性と省エネルギー性を両立させることができる。
【００２２】
請求項３に記載の発明によれば、本構成を有していない場合に比較して、利便性と省エネルギー性を両立させることができる。
【００２３】
請求項４に記載の発明によれば、本構成を有していない場合に比較して、利便性と省エネルギー性を両立させることができる。
【００２４】
請求項５に記載の発明によれば、本構成を有していない場合に比較して、利便性と省エネルギー性を両立させることができる。
【００２５】
請求項６に記載の発明によれば、本構成を有していない場合に比較して、利便性と省エネルギー性を両立させることができる。
【００２６】
請求項７に記載の発明によれば、本構成を有していない場合に比較して、プリンタ装置またはスキャナ装置について利便性と省エネルギー性を両立させることができる。
【００２７】
請求項８に記載の発明によれば、本構成を有していない場合に比較して、プリンタ装置について利便性と省エネルギー性を両立させることができる。
【００２８】
請求項９に記載の発明によれば、本構成を有していない場合に比較して、スキャナ装置について利便性と省エネルギー性を両立させることができる。
【００２９】
請求項１０に記載の発明によれば、本構成を有していない場合に比較して、画像処理装置について利便性と省エネルギー性を両立させることができる。
【００３０】
請求項１１に記載の発明によれば、本構成を有していない場合に比較して、利便性と省エネルギー性を両立させることができるという効果がある。
【発明を実施するための最良の形態】
【００３１】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３２】
図１から図１１を参照して、本発明についての実施の形態に係る画像処理システムＳ１について説明する。
【００３３】
図１および図２に示すように、画像処理システムＳ１は、装置自身に関する情報を表示する機能と共に操作する機能を備えたタッチパネル等で構成され、表示部１２１と操作部１２２を兼ねる操作パネルＰ１を少なくとも備えるプリンタ装置ＰＲ１（第１の画像処理装置の一例）と、装置自身に関する情報を表示する機能と共に操作する機能を備えたタッチパネル等で構成され、表示部２２１と操作部２２２を兼ねる操作パネルＰ２を少なくとも備え、ＬＡＮ等のネットワークＮ（通信手段の一例）を介してプリンタ装置ＰＲ１と接続されるスキャナ装置ＳＣ１（第２の画像処理装置の一例）と、プリンタ装置ＰＲ１に印刷データや画像データを送信するパーソナルコンピュータあるいはホストコンピュータ等で構成される情報処理装置ＰＣ１とを少なくとも備える。
【００３４】
プリンタ装置ＰＲ１およびスキャナ装置ＳＣ１について、本発明と直接関係しない構成については図示および説明を省略する。
【００３５】
なお、本実施の形態では、プリンタ装置ＰＲ１およびスキャナ装置ＳＣ１は、それぞれ１台がネットワークＮに接続されるが、これに限らず、それぞれ２台以上を接続する場合であってもよい。
【００３６】
なお、プリンタ装置ＰＲ１およびスキャナ装置ＳＣ１は、それぞれが備えるネットワークインターフェイス（Ｉ／Ｆ）２３０、１７０を介してネットワークＮと接続される。
【００３７】
また、プリンタ装置ＰＲ１の印刷方式は、特には限定されず、レーザプリンタ、フルカラープリンタ、複合機、インクジェット方式のプリンタ等の何れであってもよい。
【００３８】
また、スキャナ装置ＳＣ１の読み取り方式も特には限定されず、Ｃｈａｒｇｅ  Ｃｏｕｐｌｅｄ  Ｄｅｖｉｃｅｓ（ＣＣＤ）方式、Ｃｏｎｔａｃｔ  Ｉｍａｇｅ  Ｓｅｎｓｏｒ（ＣＩＳ）方式等の何れであってもよい。
【００３９】
また、プリンタ装置ＰＲ１とスキャナ装置ＳＣ１は、ネットワークＮ経由の外に、ローカル線（ＵＳＢインタフェースを介したＵＳＢケーブル等）Ｃでも接続されているが、少なくとも一方で接続されている場合を含む。
【００４０】
なお、プリンタ装置ＰＲ１およびスキャナ装置ＳＣ１は、それぞれが備えるスキャナインターフェイス（Ｉ／Ｆ）２５０およびプリンタインターフェイス（Ｉ／Ｆ）１５０を介して接続される。
【００４１】
また、特に限定されるものではないが、本実施の形態においては、スキャナ装置ＳＣ１が備える操作パネルＰ２の方が、プリンタ装置ＰＲ１が備える操作パネルＰ１よりも表示領域の面積、画素密度、表示色数、解像度等において機能的、性能的に優れているものとする。
【００４２】
例えば、プリンタ装置ＰＲ１側は、動作状態を表示するためのＬＥＤのみの表示系しか有しない場合であってもよい。
【００４３】
また、スキャナ装置ＳＣ１の操作パネルＰ２は、高機能の表示を行うために、いわゆるＧＵＩ（Ｇｒａｐｈｉｃａｌ  Ｕｓｅｒ  Ｉｎｔｅｒｆａｃｅ）を備えている。
【００４４】
ここで、ＧＵＩとは、ユーザに対する情報の表示にグラフィックを多用し、大半の基礎的な操作をマウスなどのポインティングデバイスによって行なうことができるユーザインターフェースのことをいう。なお、タッチパネルにおいては、マウス等を要さずに、所望の表示箇所を指やタッチペン（スタイラス）等で押圧することにより操作できるようになっている。
【００４５】
プリンタ装置ＰＲ１およびスキャナ装置ＳＣ１は、ネットワークＮまたはケーブルＣを介して、通信対象となる装置（本実施の形態では、スキャナ装置ＳＣ１に対してはプリンタ装置ＰＲ１、プリンタ装置ＰＲ１に対してはスキャナ装置ＳＣ１）の電源遮断の可否を問い合わせる問合せ部３００、４００（問合せ手段の一例）と、問合せ部３００、４００による問い合わせに対する応答をネットワークＮまたはケーブルＣを介して行う応答部３０１、４０１（応答手段の一例）と、問合せ部３００、４００による問い合わせ結果が電源遮断可能である場合には、電源遮断対象となる装置に対してネットワークＮまたはケーブルＣを介して電源遮断命令（電源遮断コマンド）を送信するように制御するマイクロコンピュータ等で構成される制御部２１２、１３０とをそれぞれ備えている。
【００４６】
さらに、プリンタ装置ＰＲ１およびスキャナ装置ＳＣ１は、それぞれ電源遮断スイッチ３０２、４０２を備え、制御部２１２、１３０は、電源遮断スイッチ３０２、４０２の操作と連動して、電源遮断コマンドを送信するようになっている。
【００４７】
また、プリンタ装置ＰＲ１およびスキャナ装置ＳＣ１は、装置自身がネットワークＮまたはケーブルＣを介して他の装置と接続されているか否かを判定する接続判定部３０３、４０３（接続判定手段の一例）をそれぞれ備えている。
【００４８】
そして、応答部３０１、４０１は、接続判定部３０３、４０３による判定結果をネットワークＮまたはケーブルＣを介してプリンタ装置ＰＲ１またはスキャナ装置ＳＣ１に送信し、制御部２１２、１３０は、前記判定結果に応じて電源遮断コマンドを送信するか否かを決定するようになっている。
【００４９】
また、プリンタ装置ＰＲ１およびスキャナ装置ＳＣ１は、装置自身が少なくとも一つの処理を実行しているか否かを判定する処理判定部３０４、４０４（処理判定手段の一例）をそれぞれ備えている。
【００５０】
そして、応答部３０１、４０１は、処理判定部３０４、４０４による判定結果をネットワークＮまたはケーブルＣを介してプリンタ装置ＰＲ１またはスキャナ装置ＳＣ１に送信し、制御部２１２、１３０は、前記判定結果に応じて電源遮断コマンドを送信するか否かを決定するようになっている。
【００５１】
また、プリンタ装置ＰＲ１およびスキャナ装置ＳＣ１は、装置自身の使用頻度を算出する頻度算出部３０５、４０５（頻度算出手段の一例）をそれぞれ備えている。
【００５２】
そして、応答部３０１、４０１は、頻度算出部３０５、４０５による算出結果をネットワークＮまたはケーブルＣを介してプリンタ装置ＰＲ１またはスキャナ装置ＳＣ１に送信し、制御部２１２、１３０は、前記算出結果に応じて電源遮断コマンドを送信するか否かを決定するようになっている。
【００５３】
また、プリンタ装置ＰＲ１およびスキャナ装置ＳＣ１は、装置自身の使用実績を集計する使用実績集計部３０６、４０６（使用実績集計手段の一例）をそれぞれ備えている。
【００５４】
そして、応答部３０１、４０１は、使用実績集計部３０６、４０６による集計結果をネットワークＮまたはケーブルＣを介してプリンタ装置ＰＲ１またはスキャナ装置ＳＣ１に送信し、制御部２１２、１３０は、前記集計結果に応じて電源遮断コマンドを送信するか否かを決定するようになっている。
【００５５】
なお、本実施の形態では、プリンタ装置ＰＲ１およびスキャナ装置ＳＣ１は、接続判定部３０３、４０３、処理判定部３０４、４０４、頻度算出部３０５、４０５、使用実績集計部３０６、４０６の全てを備える場合を示したが、これに限定されるものではなく、上記各部の少なくとも一つを備える構成としてもよい。
【００５６】
また、本実施の形態では、プリンタ装置ＰＲ１は、メモリ２４０（印刷履歴の格納手段の一例）を備え、頻度算出部３０５または使用実績集計部３０６は、印刷履歴に基づいて使用頻度または使用実績の集計結果を得るようになっている。
【００５７】
また、本実施の形態では、スキャナ装置ＳＣ１は、メモリ１４０（読取り履歴の格納手段の一例）を備え、頻度算出部４０５または使用実績集計部４０６は、読取り履歴に基づいて使用頻度または使用実績の集計結果を得るようになっている。
【００５８】
スキャナ装置ＳＣ１は、その他に、遠隔操作を受けつけるリモコン部１６０、原稿の自動送給を行うオートドキュメントフィーダ１１１、原稿を光学的に読み込む原稿読取部１１２等を備える。
【００５９】
次に、図３を参照して、スキャナ装置ＳＣ１の外部構成の概略について述べる。
【００６０】
スキャナ装置ＳＣ１は、光電変換方式の画像入力部１１と、電源制御指示入力手段および表示手段を兼ねる液晶タッチパネルディスプレイで構成される操作パネルＰ２と、原稿を載置する上段トレー１１１ａと、原稿を自動的に搬送するオートドキュメントフィーダ１１１と、自動搬送された原稿を読み取る原稿読取部１１２と、読み取られた原稿を載置するトレー１１１ｂ等を備えている。
【００６１】
画像入力部１１は、原稿を上段トレー１１１ａに載置すると、オートドキュメントフィーダ１１１によって自動搬送された原稿が原稿読取部１１２を通過する過程において、光源からの光が原稿に当てられ、その反射光がＣＣＤ等の光電変換素子にて受光され、電気信号に変換されて、画像データとしてメモリ１４０に読み込まれるようになっている。
【００６２】
ＳＣ１のメモリ１４０に格納された画像データは、ネットワークＮを介して、情報処理装置ＰＣ１やプリンタ装置ＰＲ１に転送され処理される。
【００６３】
このように、スキャナ装置ＳＣ１は、プリンタインタフェース１５０を介して、プリンタ装置ＰＲ１に接続することにより、スキャンデータの出力が可能となり、コピー機能を実現できるようになっている。
【００６４】
また、スキャナ装置ＳＣ１の電源遮断スイッチ４０２のオフに連動して、プリンタインタフェース１５０を通じて、シャットダウンコマンドをプリンタ装置ＰＲ１に送信するようになっている。
【００６５】
即ち、図４のブロック図に示すように、スキャナ装置ＳＣ１からプリンタ装置ＰＲ１に送信されたシャットダウンコマンドＳＤは、プリンタ装置ＰＲ１の制御部２１２に入力される。
【００６６】
制御部２１２は、例えば、接続判定部３０３等の判定結果に基づいてシャットダウン（電源遮断）の可否を判定するシャットダウン可否判定部２７０と、判定結果がシャットダウン可能で且つシャットダウンコマンドＳＤが入力された場合にのみ電源を遮断するように指示するＡＮＤ回路２６０と、ＡＮＤ回路２６０からの指示に基づいて電源回路（図示せず）をシャットダウンさせる電源制御部２８０とを備えている。
【００６７】
これにより、シャットダウン可否判定部２７０において、接続判定部３０３、処理判定部３０４、頻度算出部３０５または使用実績集計部３０６の少なくとも一つの判定結果に基づいて、プリンタ装置ＰＲ１自身のシャットダウンが可能と判定され、且つスキャナ装置ＳＣ１からシャットダウンコマンドＳＤが入力された場合にのみプリンタ装置ＰＲ１は、シャットダウン（電源遮断）される。
【００６８】
また、シャットダウン可否判定部２７０において、接続判定部３０３、処理判定部３０４、頻度算出部３０５および使用実績集計部３０６の何れかおいてシャットダウンが不能と判定された場合には、プリンタ装置ＰＲ１は、シャットダウン（電源遮断）されずに、プリント可能な状態が維持される。
【００６９】
このように、本実施の形態に係る画像処理システムＳ１によれば、利便性と省エネルギー性が両立される。
【００７０】
次に、図５〜図７を参照して、プリンタ装置ＰＲ１のネットワークへの接続、未接続を判定する場合のシャットダウン処理の処理手順について説明する。
【００７１】
この処理が開始されると、まず、ステップＳ１０で、スキャナ装置ＳＣ１からプリンタ装置ＰＲ１にシャットダウンコマンドＳＤ（電源オフの指示）が送られる。
【００７２】
ステップＳ１１では、プリンタ装置ＰＲ１のネットワークＮを介した接続があるか否かが判定される。
【００７３】
判定結果が「Ｎｏ」の場合、即ち図６に示すように、ネットワークＮを介した接続がないと判定された場合には、ステップＳ１３に移行して、シャットダウン（電源オフ）を実行してから処理を終了する。
【００７４】
これにより、スキャナ装置ＳＣ１がシャットダウンされた際に、他のユーザが使用する確率の低いプリンタ装置ＰＲ１もシャットダウンされるので、省エネルギー性が向上される。
【００７５】
一方、ステップＳ１１で、判定結果が「Ｙｅｓ」の場合、即ち図７に示すように、ネットワークＮを介した接続があると判定された場合には、ステップＳ１２に移行して、シャットダウン（電源オフ）を拒否してから処理を終了する。これにより、スキャナ装置ＳＣ１がシャットダウンされた際に、他のユーザにより使用される可能性のあるプリンタ装置ＰＲ１はプリント可能状態が維持されるので利便性が向上される。
【００７６】
次に、図８と図９を参照して、プリンタ装置ＰＲ１のネットワーク印刷の履歴の有無を判定する場合のシャットダウン処理の処理手順について説明する。
【００７７】
この処理が開始されると、まず、ステップＳ２０で、スキャナ装置ＳＣ１からプリンタ装置ＰＲ１にシャットダウンコマンドＳＤ（電源オフの指示）が送られる。
【００７８】
ステップＳ２１では、プリンタ装置ＰＲ１のネットワークＮを介した接続があるか否かが判定される。
【００７９】
判定結果が「Ｎｏ」の場合、ネットワークＮを介した接続がないと判定された場合には、ステップＳ２５に移行して、シャットダウン（電源オフ）を実行してから処理を終了する。これにより、スキャナ装置ＳＣ１がシャットダウンされた際に、他のユーザが使用する確率の低いプリンタ装置ＰＲ１もシャットダウンされるので、省エネルギー性が向上される。
【００８０】
一方、ステップＳ２１で、判定結果が「Ｙｅｓ」の場合には、ステップＳ２２に移行して、印刷履歴の格納手段としてのメモリ２４０から印刷履歴情報を取得してステップＳ２３に移行する。
【００８１】
ステップＳ２３では、電源オン後に、ネットワークＮを介した印刷（ネットワーク印刷）が有ったか否かが判定され、「Ｎｏ」の場合にはステップＳ２５に移行してシャットダウン（電源オフ）を実行してから処理を終了する。
【００８２】
一方、「Ｙｅｓ」の場合には、ステップＳ２４に移行して、シャットダウン（電源オフ）を拒否してから処理を終了する。これにより、スキャナ装置ＳＣ１がシャットダウンされた際に、他のユーザによりネットワークを介した印刷がされる可能性のあるプリンタ装置ＰＲ１はプリント可能状態が維持されるので利便性が向上される。
【００８３】
なお、シャットダウン要求に対し、不可の応答を受けたスキャナ装置ＳＣ１は、操作パネルＰ２に、「画像形成装置の電源は個別にオフする必要がある」旨の警告メッセージを表示し、手動での電源断操作を促すようにできる。
【００８４】
次に、図１０のフローチャートを参照して、プリンタ装置ＰＲ１のネットワーク印刷の印刷頻度の高低を判定する場合のシャットダウン処理の処理手順について説明する。
【００８５】
この処理が開始されると、まず、ステップＳ３０で、スキャナ装置ＳＣ１からプリンタ装置ＰＲ１にシャットダウンコマンドＳＤ（電源オフの指示）が送られる。
【００８６】
ステップＳ３１では、印刷履歴の格納手段としてのメモリ２４０から印刷履歴情報を取得してステップＳ３２に移行する。
【００８７】
ステップＳ３２では、情報処理装置ＰＣ１等からの印刷頻度は高いか否かを判定する（具体的には、予め閾値を設定し、算出した頻度が閾値を越えたか否かを判定する）。
【００８８】
そして、印刷頻度は高くないと判定された場合（「Ｎｏ」の場合）には、ステップＳ３４に移行してシャットダウン（電源オフ）を実行してから処理を終了する。
【００８９】
これにより、スキャナ装置ＳＣ１がシャットダウンされた際に、情報処理装置ＰＣ１等にり使用される確率の低いプリンタ装置ＰＲ１もシャットダウンされるので、省エネルギー性が向上される。
【００９０】
一方、印刷頻度が高いと判定された場合（「Ｙｅｓ」の場合）には、ステップＳ３３に移行して、シャットダウン（電源オフ）を拒否してから処理を終了する。
【００９１】
これにより、スキャナ装置ＳＣ１がシャットダウンされた際に、情報処理装置ＰＣ１等によりネットワークを介した印刷がされる可能性の高いプリンタ装置ＰＲ１はプリント可能状態が維持されるので利便性が向上される。
【００９２】
次に、図１１を参照して、１台のスキャナ装置ＳＣ１に、複数のプリンタ装置ＰＲ１〜ＰＲ３が接続された場合の例について述べる。
【００９３】
なお、プリンタ装置ＰＲ２，ＰＲ３は、プリンタ装置ＰＲ１と同様の構成を備えるものとする。
【００９４】
この場合において、スキャナ装置ＳＣ１は、シャットダウン要求コマンドを複数のプリンタ装置ＰＲ１〜ＰＲ３に対して発行する。
【００９５】
シャットダウンコマンドを受信した各プリンタ装置ＰＲ１〜ＰＲ３は、電源投入〜現在までの間にネットワークＮ経由での印刷指示があったかを確認する。
【００９６】
そして、印刷実績があった場合には、スキャナ装置ＳＣ１に対し、要求実行不可の応答を返して、動作を継続する。
【００９７】
一方、印刷実績がなかった場合には、要求実行可能の応答を返して、プリンタ装置自身をシャットダウンする。
【００９８】
これにより、利便性と省エネルギー性が両立される。
【００９９】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１００】
また、プログラムを用いる場合には、ネットワークを介して提供し、或いはＣＤ−ＲＯＭ等の記録媒体に格納して提供することが可能である。
【０１０１】
即ち、画像処理プログラムを含む所定のプログラムを記録媒体としてのハードディスク等の記憶装置に記録する場合に限らず、当該所定のプログラムを次のようにして提供することも可能である。
【０１０２】
例えば、所定のプログラムをＲＯＭに格納しておき、ＣＰＵが、この所定のプログラムをこのＲＯＭから主記憶装置へローディングして実行するようにしてもよい。
【０１０３】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１０４】
さらには、画像処理装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１０５】
本発明による画像形成装置、画像処理システム、画像処理装置および電源制御プログラムは、複写装置、レーザプリンタ、フルカラープリンタ、複合機、ファクシミリ装置、スキャナ装置等に適用することができる。
【図面の簡単な説明】
【０１０６】
【図１】実施の形態に係る画像処理システムＳ１の構成を示す概略構成図である。
【図２】実施の形態に係る画像処理システムＳ１の機能構成を示す機能ブロックである。
【図３】スキャナ装置の外観を示す斜視図である。
【図４】シャットダウンコマンドの送信状態を示す説明図である。
【図５】シャットダウン処理の処理手順を示すフローチャートである。
【図６】プリンタ装置ＰＲ１のネットワークへの未接続状態を示す説明図である。
【図７】プリンタ装置ＰＲ１のネットワークへの接続状態を示す説明図である。
【図８】シャットダウン処理の処理手順を示すフローチャートである。
【図９】プリンタ装置ＰＲ１においてネットワーク経由の印刷がある場合を示す説明図である。
【図１０】シャットダウン処理の処理手順を示すフローチャートである。
【図１１】ネットワークＮに複数のプリンタ装置ＰＲ１〜ＰＲ３が接続された状態を示す説明図である。
【符号の説明】
【０１０７】
Ｓ１  画像処理システム
ＰＲ１〜ＰＲ３  プリンタ装置
ＳＣ１  スキャナ装置
Ｐ１  操作パネル
Ｐ２  操作パネル
ＰＣ１  情報処理装置
Ｃ  ケーブル
Ｎ  ネットワーク
１１  画像入力部
１１１  オートドキュメントフィーダ
１１１ａ  上段トレー
１１１ｂ  トレー
１１２  原稿読取部
１２１  表示部
１２２  操作部
１４０  メモリ
１５０  プリンタインタフェース
１６０  リモコン部
２１２  制御部
２２１  表示部
２２２  操作部
２４０  メモリ
２６０  ＡＮＤ回路
２７０  シャットダウン可否判定部
２８０  電源制御部
３００  問合わせ部
３０１  応答部
３０２  電源遮断スイッチ
３０３  接続判定部
３０４  処理判定部
３０５  頻度算出部
３０６  使用実績集計部
４００  問合わせ部
４０１  応答部
４０２  電源遮断スイッチ
４０３  接続判定部
４０４  処理判定部
４０５  頻度算出部
４０６  使用実績集計部
【図１】
2010213005.tif 000003
【図２】
2010213005.tif 000004
【図３】
2010213005.tif 000005
【図４】
2010213005.tif 000006
【図５】
2010213005.tif 000007
【図６】
2010213005.tif 000008
【図７】
2010213005.tif 000009
【図８】
2010213005.tif 000010
【図９】
2010213005.tif 000011
【図１０】
2010213005.tif 000012
【図１１】
2010213005.tif 000013